(57)【特許請求の範囲】
【請求項１】
カンチレバーと、前記カンチレバーの長手方向の前端部に取り付けられたスタイラスチップと、前記カンチレバーの長手方向の基端部に配置されて前記カンチレバーを揺動可能に支持するダンパーと、前記スタイラスチップの直後におけるカンチレバーの前端部内に配置され、前記スタイラスチップの振動に応答して振動するマグネットと、コ字状に形成されて発電コイルが巻回され両脚部の磁極がカンチレバー内の前記マグネットに対峙して配置されたヨークとが備えられ、
前記カンチレバーには、前端部に向かって軸に直交する厚みを減少させるテーパー面が形成され、前記テーパー面にスタイラスチップを取り付けると共に、前記マグネットの前端部が前記テーパー面の形成部分の後端部に内側から接した状態で、カンチレバーの前端部内に配置され、
前記マグネットには、前記カンチレバーの長手方向に沿って各磁極が着磁されていることを特徴とする可動マグネット型ピックアップカートリッジ。
【請求項２】
前記可動マグネット型ピックアップカートリッジは４５−４５方式のステレオレコード盤を再生するのに適用され、
コ字状に形成されて発電コイルが巻回された一対のヨークが、前記カンチレバーを中央にしたカンチレバーの上部左右に配置され、前記各ヨークの両脚部の磁極が、前記マグネットに対して前記４５−４５方式の最大感度軸の方向にそれぞれ対向配列されていることを特徴とする請求項１に記載の可動マグネット型ピックアップカートリッジ。
【請求項３】
前記マグネットは、前記ヨークの両脚部の磁極にそれぞれＮ極およびＳ極が対峙するように着磁されていることを特徴とする請求項１または請求項２に記載の可動マグネット型ピックアップカートリッジ。
【発明の詳細な説明】
【技術分野】
【０００１】
この発明は、レコード盤に刻設された音溝の振幅から信号を抽出する可動マグネット型ピックアップカートリッジに関し、特に出力信号を大きく取ることができると共に、歪みの少ない忠実な再生音を得ることができるピックアップカートリッジに関する。
【背景技術】
【０００２】
可動マグネット型ピックアップカートリッジ（以下、単にＭＭ型カートリッジとも言う。）は、例えば特許文献１に記載されているように、先端部にスタイラスチップを備えたカンチレバーの振動支点付近に、マグネットを配置した構成が採用されている。
そして、前記マグネットは、発電コイルが巻回されたヨークの両脚部（磁極）に対峙するように配置される。
【０００３】
したがって、カンチレバーの先端部の前記スタイラスチップがレコード盤の音溝をトレースした場合、カンチレバーを介してカンチレバーの振動支点付近に配置されたマグネットを揺動させる。これにより、ヨークの両脚部（磁極）に与える磁束密度を変化させことができ、前記発電コイルに音声再生信号としての電気信号を得るように作用する。
【０００４】
また特許文献２には、同じくＭＭ型カートリッジにおいて、音声再生信号の発電効率を高めるために、ヨークの磁極に工夫を加えてＥ字型に成形し、マグネットの首振り運動に伴い、中央の磁極を共通に使い、前後の磁極に磁束を振り分けることで、磁路を交互に形成させる構成が開示されている。
【先行技術文献】
【特許文献】
【０００５】
【特許文献１】特公昭６１−３１６７９号公報
【特許文献２】特公昭６１−４７０４０号公報
【発明の概要】
【発明が解決しようとする課題】
【０００６】
ところで、この種のＭＭ型カートリッジは、前記した特許文献１および２に開示されているように、カンチレバーの基端部における振動支点付近にマグネットが配置された構成であるため、カンチレバーの前端部に配置されたスタイラスチップの動きに対して、前記マグネットの動きは極めて小さい。
【０００７】
したがって、スタイラスチップの動きに比較して、ヨークに与えることができる磁束密度の変化が小さく、音声信号としての発電効率は低い。そこで特許文献２には、音声信号の発電効率の低い点を補うために、ヨークの形状に工夫を施しているものの、これは発電効率を上げるための根本的な解決策には至らない。
【０００８】
一方、従来のＭＭ型カートリッジは、特許文献１および２に開示されているように、スタイラスチップが受ける音溝による振幅は、カンチレバーの長手方向の全体を介してマグネットに伝達される。したがって、信号の遅れが生ずると共に、カンチレバーの機械的な撓みが音声信号の歪みとなって現れる。
そこで、カンチレバーの素材として、硬質アルミニウム、ボロン、人工サファイヤなどを用いる工夫がなされるが、カンチレバーの軸方向に伝播することによる信号の遅れや、歪みの発生を押さえることは、基本的に困難である。
【０００９】
この発明は、前記した従来のＭＭ型カートリッジが持つ技術的な課題に着目してなされたものであり、特に出力信号を大きく取ることができると共に、歪みの少ない忠実な再生音を得ようとするものである。
加えてこの発明は、例えば４５−４５方式のステレオレコードからの再生音を、前記した作用効果を備えた状態で抽出することができるＭＭ型ステレオピックアップカートリッジを提供することを課題とするものである。
【課題を解決するための手段】
【００１０】
前記した課題を達成するためになされたこの発明に係る可動マグネット型ピックアップカートリッジの第１の形態は、カンチレバーと、前記カンチレバーの長手方向の前端部に取り付けられたスタイラスチップと、前記カンチレバーの長手方向の基端部に配置されて前記カンチレバーを揺動可能に支持するダンパーと、前記カンチレバーの前端部におけるスタイラスチップの直上にカンチレバーの長手方向に沿って配置され、前記スタイラスチップの振動に応答して振動するマグネットと、コ字状に形成されて発電コイルが巻回され両脚部の磁極が前記マグネットに対峙して配置されたヨークを備えたことを特徴とする。
【００１１】
また、この発明に係る可動マグネット型ピックアップカートリッジの第２の形態は、カンチレバーと、前記カンチレバーの長手方向の前端部に取り付けられたスタイラスチップと、前記カンチレバーの長手方向の基端部に配置されて前記カンチレバーを揺動可能に支持するダンパーと、前記スタイラスチップの直後におけるカンチレバーの前端部内に配置され、前記スタイラスチップの振動に応答して振動するマグネットと、コ字状に形成されて発電コイルが巻回され両脚部の磁極がカンチレバー内の前記マグネットに対峙して配置されたヨークとが備えられ、前記カンチレバーには、前端部に向かって軸に直交する厚みを減少させるテーパー面が形成され、前記テーパー面にスタイラスチップを取り付けると共に、前記マグネットの前端部が前記テーパー面の形成部分の後端部に内側から接した状態で、カンチレバーの前端部内に配置され、前記マグネットには、前記カンチレバーの長手方向に沿って各磁極が着磁されていることを特徴とする。
【００１２】
この場合、好ましい形態においては、コ字状に形成されて発電コイルが巻回された一対のヨークが、前記カンチレバーを中央にしたカンチレバーの上部左右に配置され、前記各ヨークの両脚部の磁極が、前記マグネットに対して４５°−４５°方式の最大感度軸の方向にそれぞれ対向配列された構成が採用される。
【００１３】
そして前記マグネットは、前記ヨークの両脚部の磁極にそれぞれＮ極およびＳ極が対峙するように着磁されていることが望ましい。
【発明の効果】
【００１４】
前記した構成のＭＭ型ピックアップカートリッジによると、カンチレバーの前端部におけるスタイラスチップの直上、もしくはスタイラスチップの直後におけるカンチレバーの前端部内にマグネットが配置された構成が採用される。したがって、前記マグネットは、レコード盤の音溝をトレースするスタイラスチップとほぼ同様な振幅をもって振動することになる。これにより両脚部の磁極が前記マグネットに対峙するヨークには、マグネットの大きな振幅移動に伴う大きな磁束密度の変化が与えられ、発電効率の高いＭＭ型ピックアップカートリッジを提供することができる。
【００１５】
また、スタイラスチップが受ける音溝による振幅は、カンチレバーの長手方向の全体を介することなく前記マグネットに伝達されるので、信号の遅れが生ずることなく、歪みの少ない忠実な再生音を得ることができるＭＭ型ピックアップカートリッジが実現できる。
【００１６】
加えて、前記ＭＭ型ピックアップカートリッジは４５−４５方式のステレオレコード盤を再生するのに適用され、前記カンチレバーを中央にしたカンチレバーの上部左右に配置された各ヨークの両脚部の磁極が、前記マグネットに対して４５−４５方式の最大感度軸の方向にそれぞれ対向配列した構成を採用することにより、前記した作用効果をそのまま享受したＭＭ型ステレオピックアップカートリッジを提供することができる。
【図面の簡単な説明】
【００１７】
【図１】この発明に係るＭＭ型ピックアップカートリッジの第１の形態について一部を透視状態で示した側面図である。
【図２】カンチレバーの軸方向の前端部側から見たピックアップカートリッジの正面図である。
【図３】左右ヨークの磁極とマグネットの位置関係を示した模式図である。
【図４】ヨークの磁極とマグネットの配置状態を示した模式図である。
【図５】第２の実施の形態におけるヨークの磁極とマグネットの配置状態を示した模式図である。
【発明を実施するための形態】
【００１８】
この発明に係るＭＭ型ピックアップカートリッジの第１の形態について、図１〜図４に基づいて説明する。
図１に示したとおり、このＭＭ型ピックアップカートリッジは、ボディー１の前面側に若干鈍角となるＬ字状に屈曲成形されたホルダー２が、前記ボディー１に螺着されたボルト３によって取り付けられている。
【００１９】
そして、前記ホルダー２には、ヨーク等を備えた磁気回路４が、前記ホルダー２の前端面における傾斜角度に対応して、若干下向きとなるように取り付けられている。
この実施の形態においては、４５−４５方式のステレオレコードからの信号をそれぞれ再生するために、図２に示すように左右一対の磁気回路４Ｌ，４Ｒが備えられている。４５−４５方式とは、４５度と４５度に傾けたレコード盤の溝に、内側の壁（音溝）には左チャンネルの音を、外側の壁（音溝）には右チャンネルの音をそれぞれ独立に記録する方式である。
なお、左右の磁気回路４Ｌ，４Ｒの構成は同一であり、以下においては一方の磁気回路について説明し、重複する説明は省略する。
【００２０】
図１には左チャンネルの磁気回路４Ｌが示されており、この磁気回路にはコ字状に形成されたヨーク５が備えられている。そしてヨーク５の両脚部は、その先端部の間隔が狭められて平行状態に対向し、一対の磁極５ａ，５ｂを構成している。この一対の磁極は、後述するカンチレバーに備えられたマグネットに対峙するものとなる。
【００２１】
そして、ヨーク５のコ字状に曲げられた両脚部には、それぞれボビン６を介して発電コイル７が巻回されており、２つの発電コイル７は直列接続されて出力される。すなわち、前記ボディー１の後端部には、端子板８が取り付けられており、この端子板８に植設されたターミナルピン９ａ，９ｂに対して直列接続されて加算された信号が出力されるように構成されている。
【００２２】
一方、前記ボディー１の下端部における肉厚部分を利用してカンチレバー等を含む振動部１１が取り付けられている。この振動部１１には、カンチレバー１２と、前記カンチレバー１２の長手方向の前端部に下向きに取り付けられたスタイラスチップ１３と、前記カンチレバー１２の長手方向の基端部に配置されて前記カンチレバー１２を揺動可能に支持するダンパー１４等が含まれる。
【００２３】
前記カンチレバー１２は、ストッパーピン１５内に収容された図示せぬワイヤーを介してドーナツ状に形成されたダンパー１４に向かって牽引されている。そしてダンパーの可撓性を利用してカンチレバー１２はボディー１に対して揺動可能に支持されている。
前記ストッパーピン１５は、前記ボディー１に形成された軸孔内に収容され、この軸孔に向かってボディー１に螺着されたビス１６によって支持されている。
【００２４】
そして、この実施の形態においては、前記カンチレバー１２の前端部におけるスタイラスチップ１３の直上に、カンチレバー１２の長手方向に沿って棒状のマグネット１８が取り付けられている。
このマグネット１８は、図４に示したように軸方向の両端部にそれぞれＮ極およびＳ極が着磁されており、軸方向に着磁されたマグネット１８の各端部に、前記したヨーク５の磁極５ａ，５ｂがそれぞれ対峙するように配置されている。
【００２５】
また、前記した左右一対のヨーク５は、図３に示したように前記カンチレバー１２を中央にしたカンチレバーの上部左右に配置されており、前記各ヨーク５の両脚部の各磁極５ａ，５ｂは、前記マグネット１８に対して４５−４５方式の最大感度軸の方向にそれぞれ対向配列されている。
【００２６】
図３は、レコード盤の左チャンネルの音溝によって、前記マグネット１８が振動している様子を示しており、このマグネット１８の振幅Ｌａは、左チャンネル（図３の右側）のヨーク５に対して磁束を増減させる作用を与えている。したがって、磁束の変化に対応した音声出力を左チャンネルのターミナルピン９ａ，９ｂにもたらすことができる。
【００２７】
なお、前記したマグネット１８の振幅動作においては、右チャンネルのヨーク５に対しては、磁極に対するマグネットの距離は変化しない。したがって、右チャンネルのターミナルピン９ａ，９ｂには音声出力は発生せず、これにより十分なチャンネルセパレーションを得ることができる。
【００２８】
図５は、この発明に係るＭＭ型ピックアップカートリッジの第２の形態について示したものである。この例においては、スタイラスチップ１３の直後におけるカンチレバー１２の前端部内に、棒状のマグネット１８が収容されている。
このカンチレバー１２内に収容されたマグネット１８も、軸方向に着磁されており、軸方向に着磁されたマグネット１８の各端部に、前記したヨーク５の磁極５ａ，５ｂがそれぞれ対峙している。
【００２９】
そして、マグネット１８を収容したカンチレバー１２を中央にして、例えば図３に示したように、その上部に左右のチャンネルを形成する発電コイル７を備えたヨーク５を配置することができる。これにより、前記した第１の形態と同様に、ＭＭ型ステレオピックアップカートリッジを提供することができる。
【００３０】
以上説明した第１および第２の形態のいずれにおいても、マグネットはレコード溝をトレースするスタイラスチップの振動に直結した状態で振動することになる。したがって、マグネットの大きな振幅移動に伴う磁束密度の変化をヨークに与えることができ、発電効率の高いＭＭ型ピックアップカートリッジを提供することができる。
【００３１】
また、マグネットはスタイラスチップの振動に直結した状態で振動するので、カンチレバーを介することによる信号の遅れや、カンチレバーの撓みによる歪の発生を抑えることができるなど、前記した発明の効果の欄に記載したとおりの作用効果をもたらすことができる。
【符号の説明】
【００３２】
１    ボディー
２    ホルダー
３    ボルト
４，４Ｌ，４Ｒ    磁気回路
５    ヨーク
５ａ，５ｂ    磁極
６    ボビン
７    発電コイル
８    端子板
９ａ，９ｂ    ターミナルピン
１１    振動部
１２    カンチレバー
１３    スタイラスチップ
１４    ダンパー
１５    ストッパーピン
１６    ビス
１８    マグネット
【図１】
0006616095.tif 000002
【図２】
0006616095.tif 000003
【図３】
0006616095.tif 000004
【図４】
0006616095.tif 000005
【図５】
0006616095.tif 000006